(57)【要約】【課題】簡単な回路で選局部ＩＣ内部のＡＧＣ回路を補足するＡＧＣ回路を構成することで、信頼性を向上でき、コストを抑えることができる受信装置等を提供する。【解決手段】選局部３０の前段にＬＮＡ１０を設けると共に、固定減衰型ＡＧＣ２０を設け、受信信号のレベルが予め設定された第１の閾値−３０ｄＢｍ以上となったとき、固定減衰型ＡＧＣ２０をオン状態にし、受信信号を所定減衰量で減衰し、受信信号のレベルが予め設定された第２の閾値−６０ｄＢｍ以下となったとき、固定減衰型ＡＧＣ２０をオフ状態にし、受信信号を減衰しないで通過させる。これにより、簡単な回路で選局部ＩＣ内部のＡＧＣ回路を補足するＡＧＣ回路を構成することができるため、信頼性を向上でき、コストを抑えることができる。【選択図】        図１
2004336480.tif 000002
【特許請求の範囲】
【請求項１】
アンテナからの受信信号のレベルが所定レベルになるように増幅手段の利得を制御する第１の自動利得制御手段を有する受信装置において、
上記第１の自動利得制御手段の前段に設けられ、オンになるときのみ上記受信信号を所定減衰量で減衰する第２の自動利得制御手段と、
上記受信信号のレベルを検出するレベル検出手段と、
上記レベル検出手段の検出結果に基づいて、上記第２の自動利得制御手段を制御する制御手段とを備え、
上記制御手段は、
上記受信信号のレベルが予め設定された第１の閾値以上となったとき、上記第２の自動利得制御手段をオン状態にし、
上記受信信号のレベルが予め設定された第２の閾値以下となったとき、上記第２の自動利得制御手段をオフ状態にするように上記第２の自動利得制御手段を制御する
ことを特徴とする受信装置。
【請求項２】
上記第２の自動利得制御手段は、可変抵抗素子を備え、
上記可変抵抗素子の信号入力端には、所定の電圧が印加され、
上記可変抵抗素子の信号出力端には、ハイレベルとローレベルからなる制御信号が印加され、
上記可変抵抗素子は、
上記制御信号がハイレベルのとき、オフになり、高い抵抗値を示し、
上記制御信号がローレベルのとき、オンになり、低い抵抗値を示す
ことを特徴とする請求項１に記載の受信装置。
【請求項３】
アンテナからの受信信号のレベルが所定レベルになるように増幅手段の利得を制御する第１の自動利得制御手段の前段に設けられたオン／オフ動作可能な第２の自動利得制御手段を有する受信装置における受信方法であって、
予め上記第２の自動利得制御手段をオンする第１の閾値、および上記第２の自動利得制御手段をオフする第２の閾値を設定し、
上記受信信号のレベルを検出し、
得られた検出結果に基づいて、上記第２の自動利得制御手段により、
上記受信信号のレベルが上記第１の閾値以上となったとき、上記受信信号を所定減衰量で減衰し、
上記受信信号のレベルが上記第２の閾値以下となったとき、上記受信信号を減衰しないで通過させる
ことを特徴とする受信方法。
【請求項４】
アンテナからの受信信号のレベルが所定レベルになるように増幅手段の利得を制御する第１の自動利得制御手段の前段に設けられたオン／オフ動作可能な第２の自動利得制御手段を有する受信装置を制御するプログラムであって、
コンピュータを、上記受信信号のレベル検出するレベル検出手段の検出結果に基づいて、上記受信信号のレベルが予め設定された第１の閾値以上となったとき、上記第２の自動利得制御手段をオン状態にし、上記受信信号のレベルが予め設定された第２の閾値以下となったとき、上記第２の自動利得制御手段をオフ状態にする制御手段として機能させるためのプログラム。
【発明の詳細な説明】
【０００１】
【発明の属する技術分野】
この発明は、受信装置、受信方法およびプログラムに関する。詳しくは、第１の自動利得制御手段の前段にオンのときのみ受信信号を所定減衰量で減衰する第２の自動利得制御手段が設けられ、受信信号のレベルが予め設定された第１の閾値以上となったとき、第２の自動利得制御手段をオン状態にして受信信号を所定減衰量で減衰させ、受信信号のレベルが予め設定された第２の閾値以下となったとき、第２の自動利得制御手段をオフ状態にして受信信号を減衰しないで通過させる構成とすることによって、簡単な回路で選局部ＩＣ内部のＡＧＣ回路を補足するＡＧＣ回路を構成することができるため、信頼性を向上でき、コストを抑えることができるようにした受信装置、受信方法およびプログラムに係るものである。
【０００２】
【従来の技術】
従来、例えば、静止軌道上の衛星から送信された電波は、アンテナで受信された後、伝送線路を介して受信装置に入力される。
【０００３】
このとき伝送線路上に存在する分配器や伝送ケーブルの長さに依存する損失、またそれを補うために設置された増幅器などの作用により、受信装置に入力される際の信号レベルは、個々の状況で大きく異なる。そのため、受信装置の入力部には信号レベルが低い場合にこれを増幅するための低雑音増幅器（ＬＮＡ）と、強入力時に信号を減衰させるためのＡＧＣ回路が必要となる。
【０００４】
例えば、選局部はＩＣ化されており、このＩＣ内部にＬＮＡおよびＡＧＣ回路が内蔵されているため、ある程度の入力信号レベルの偏移にはＩＣ自体が対応しているが、実際の使用環境においてはＩＣの実力を超えてレベル偏移が生じることもある。このため、受信装置の入力部（選局部の前段）にさらにＬＮＡとＡＧＣ回路を追加する必要が生じる。
【０００５】
ここで、追加されるＡＧＣ回路は、入力が変動しても出力レベルが一定になるように（つまり入力レベルと減衰量がリニアになるように）設定するものが一般的であった。
【０００６】
また、衛星からの複数の４相ＰＳＫ変調された被変調信号波と一個の無変調のパイロット信号波との合成のＲＦ信号波を受信機において、ＲＦ信号波を被変調波とパイロット信号とに分離するとともにパイロット信号のレベルを指標する制御信号を生成して、当該制御信号に基づいてＲＦ信号に対する可変利得増幅器のゲインを制御する。また、分離された被変調波とパイロット信号とのレベル調整を為すために、いずれかの処理系に利得調整素子を挿入するＡＧＣ回路が利用されている（例えば、特許文献１参照）。
【０００７】
【特許文献１】
特開平６−１８１４７９号公報（第２，３頁、第６図）
【０００８】
【発明が解決しようとする課題】
上述したように受信装置の入力部にＬＮＡとＡＧＣ回路を追加した場合、追加されたＡＧＣ回路はアナログ動作をするため、回路構成が複雑となり、その結果、信頼性の低下、コストの増加などの問題を引き起こす原因となっていた。
【０００９】
また、特許文献１の場合、利得調整素子を用いたが、この利得調整素子は受信信号のレベルに基づいて自動的に制御され、ＩＣ内部のＡＧＣ回路への入力信号を調整することができない。
【００１０】
そこで、この発明は、簡単な回路で選局部ＩＣ内部のＡＧＣ回路を補足するＡＧＣ回路を構成することで、信頼性を向上でき、コストを抑えることができるようにした受信装置等を提供することを目的とする。
【００１１】
【課題を解決するための手段】
この発明に係る受信装置は、アンテナからの受信信号のレベルが所定レベルになるように増幅手段の利得を制御する第１の自動利得制御手段を有する受信装置において、第１の自動利得制御手段の前段に設けられ、オンになるときのみ受信信号を所定減衰量で減衰する第２の自動利得制御手段と、受信信号のレベルを検出するレベル検出手段と、レベル検出手段の検出結果に基づいて、第２の自動利得制御手段を制御する制御手段とを備え、制御手段は、受信信号のレベルが予め設定された第１の閾値以上となったとき、第２の自動利得制御手段をオン状態にし、受信信号のレベルが予め設定された第２の閾値以下となったとき、第２の自動利得制御手段をオフ状態にするように第２の自動利得制御手段を制御するものである。
【００１２】
例えば、第２の自動利得制御手段は、可変抵抗素子を備え、可変抵抗素子の信号入力端には、所定の電圧が印加され、可変抵抗素子の信号出力端には、ハイレベルとローレベルからなる制御信号が印加され、可変抵抗素子は、制御信号がハイレベルのとき、オフになり、高い抵抗値を示し、制御信号がローレベルのとき、オンになり、低い抵抗値を示すようになされる。
【００１３】
この発明に係る受信方法は、アンテナからの受信信号のレベルが所定レベルになるように増幅手段の利得を制御する第１の自動利得制御手段の前段に設けられたオン／オフ動作可能な第２の自動利得制御手段を有する受信装置における受信方法であって、予め第２の自動利得制御手段をオンする第１の閾値、および第２の自動利得制御手段をオフする第２の閾値を設定し、受信信号のレベルを検出し、得られた検出結果に基づいて、第２の自動利得制御手段により、受信信号のレベルが第１の閾値以上となったとき、受信信号を所定減衰量で減衰し、受信信号のレベルが第２の閾値以下となったとき、受信信号を減衰しないで通過させるものである。
【００１４】
この発明に係るプログラムは、アンテナからの受信信号のレベルが所定レベルになるように増幅手段の利得を制御する第１の自動利得制御手段の前段に設けられたオン／オフ動作可能な第２の自動利得制御手段を有する受信装置を制御するプログラムであって、コンピュータを、受信信号のレベル検出するレベル検出手段の検出結果に基づいて、受信信号のレベルが予め設定された第１の閾値以上となったとき、第２の自動利得制御手段をオン状態にし、受信信号のレベルが予め設定された第２の閾値以下となったとき、第２の自動利得制御手段をオフ状態にする制御手段として機能させるためのプログラムである。
【００１５】
この発明においては、第１の自動利得制御手段の前段にオンのときのみ受信信号を所定減衰量で減衰する第２の自動利得制御手段が設けられ、受信信号のレベルが予め設定された第１の閾値以上となったとき、第２の自動利得制御手段をオン状態にして受信信号を所定減衰量で減衰させ、受信信号のレベルが予め設定された第２の閾値以下となったとき、第２の自動利得制御手段をオフ状態にして受信信号を減衰しないで通過させることにより、簡単な回路で選局部ＩＣ内部のＡＧＣ回路を補足するＡＧＣ回路を構成することができるため、信頼性を向上でき、コストを抑えることが可能となる。
【００１６】
【発明の実施の形態】
以下、図面を参照しながら、この発明の実施の形態について説明する。図１は、この発明の実施の形態の受信装置１００の構成を示すブロック図である。この受信装置１００は、ＢＳ（Ｂｒｏａｄｃａｓｔ  Ｓａｔｅｌｌｉｔｅ）、またはＣＳ（Ｃｏｍｍｕｎｉｃａｔｉｏｎ  Ｓａｔｅｌｌｉｔｅ）衛星のデジタル放送を受信するための受信装置である。図２は、受信装置１００の入力部の構成を示す図である。
【００１７】
図１に示すように、受信装置１００は、ＬＮＡ（Ｌｏｗ  Ｎｏｉｓｅ  Ａｍｐｌｉｆｉｅｒ）１０と、第２の自動利得制御手段としての固定減衰型ＡＧＣ（Ａｕｔｏｍａｔｉｃ  ｇａｉｎ  ｃｏｎｔｒｏｌ）２０と、選局部３０と、復調・エラー訂正部４０と、デスクランブラ５０と、デマルチプレクサ６０と、ＭＰＥＧデコーダ７０と、メインＣＰＵ８０から構成されている。
【００１８】
ＬＮＡ１０は、内部雑音の低い低雑音増幅器であり、衛星放送などの微弱な電波を受信する場合に用いられる。このＬＮＡ１０は常時に動作する。例えば、入力された受信信号を常に所定レベルで増幅するようになされる。
【００１９】
固定減衰型ＡＧＣ２０は、デジタル的に動作するＡＧＣ回路である（後述図３に参照）。この固定減衰型ＡＧＣ２０は、選局部３０に含まれる内部ＡＧＣ（第１の自動利得制御手段）３２を補助するためのものであり、受信信号のレベルが内部ＡＧＣ３２のダイナミックレンジを越える場合、該受信信号のレベルを一定の減衰量で減衰するようになされる。
【００２０】
選局部３０は、図２に示すように、内部ＬＡＮ３１と、内部ＡＧＣ（第１の自動利得制御手段）３２と、選局回路３３とを備える。内部ＬＡＮ３１、内部ＡＧＣ３２、選局回路３３は一つのＩＣ（選局部ＩＣ）に内蔵されている。内部ＡＧＣ３２は、アンテナからの受信信号のレベルが所定レベルになるように増幅手段の利得を制御するものである。内部ＡＧＣ３２は、所定のダイナミックレンジ、例えば−２０〜−７０ｄＢｍを有している。
【００２１】
復調・エラー訂正部４０は、図２に示すように、復調回路４１と、エラー訂正回路４２と、受信信号のレベルを検出するレベル検出手段４３とを備える。復調回路４１は選局部３０より出力されるベースバンド信号の復調処理を行ってトランスポートストリームを得る回路である。この復調・エラー訂正部４０は、例えば、ＴＣ８ＰＳＫ（Ｔｒｅｌｌｉｓ  Ｃｏｄｅｄ  ８  Ｐｈａｓｅ  Ｓｈｉｆｔ  Ｋｅｙｉｎｇ）デコーダと、ＱＰＳＫ（Ｑｕａｄｒａｔｕｒｅ  Ｐｈａｓｅ  Ｓｈｉｆｔ  Ｋｅｙｉｎｇ）デコーダおよびＢＰＳＫ（Ｂｉｎａｒｙ  Ｐｈａｓｅ  ｓｈｉｆｔ  ｋｅｙｉｎｇ）デコーダ等の周知の回路系を含む。エラー訂正回路４２は、信号伝送中に発生したトランスポートストリームの誤りを訂正する回路である。エラー訂正回路４２の処理によって、受信ＣＮ比（Ｃａｒｅｅｒ  Ｎｏｉｓｅ  Ｒａｔｉｏｎ）が低い状態でも安定な受信が可能となる。
【００２２】
また、レベル検出手段４３により受信信号のレベルが検出され、受信信号のレベルに応じた制御信号Ｓ１が内部ＡＧＣ３２に出力されて、内部ＡＧＣ３２により受信信号のレベルを制御する。また、復調・エラー訂正部４０は、検出された受信信号レベルに基づいて、固定減衰型ＡＧＣ２０を制御する制御信号Ｓ２を出力し、固定減衰型ＡＧＣ２０のオン／オフを制御するようになされる。
【００２３】
また、図２に示すように、復調・エラー訂正部４０（復調部ＩＣ）からの制御信号Ｓ１は、選局部３０の内部ＡＧＣ３２へ入力される。また制御信号Ｓ２は、固定減衰型ＡＧＣ２０へ入力される。
【００２４】
デスクランブラ５０は、スクランブルをかけられた信号のスクランブルを解除する回路である。デマルチプレクサ６０は、トラスポートストリームから、ＭＰＥＧ形式でエンコーダされた映像信号や音声信号を分離する回路である。ＭＰＥＧデコーダ７０は、信号のデコードを行い、デコードされて得られる再生信号（映像信号および音声信号）はビデオ・オーディオへ出力される。
【００２５】
メインＣＰＵ８０は、システムバスを介して各回路に接続されており、予め用意されたプログラムにより受信装置１００の動作を制御する。このプログラムは、メインＣＰＵ８０を、固定減衰型ＡＧＣ２０を制御する制御手段として機能させる。例えば、復調・エラー訂正部４０に入力される受信信号のレベルの検出結果に基づいて、受信信号のレベルが予め設定された第１の閾値以上であるか否かを比較し、また受信信号のレベルが予め設定された第２の閾値以下であるか否かを比較し、受信信号のレベルが予め設定された第１の閾値（例えば、−３０ｄＢｍ）以上となったとき、固定減衰型ＡＧＣ２０をオン状態にし、受信信号を所定減衰量で減衰し、また、受信信号のレベルが予め設定された第２の閾値（例えば、−６０ｄＢｍ）以下となったとき、固定減衰型ＡＧＣ２０をオフ状態にし、受信信号を減衰しないで通過させるよう制御する。
【００２６】
図３は、固定減衰型ＡＧＣ２０の構成例を示す図である。図３に示すように、固定減衰型ＡＧＣ２０は、可変抵抗素子としてのＰｉｎダイオードＤｉと、抵抗Ｒ１，Ｒ２，Ｒ３，Ｒ４とから構成されている。
【００２７】
ＰｉｎダイオードＤｉは、電流が流れたときには低い抵抗値を示し、受信信号を通過させ、また電流が流れないときには高い抵抗値を示し、減衰器として受信信号を所定減衰値、例えば−２０ｄＢで減衰するものである。
【００２８】
端子Ａには、一定の電圧Ｖ０が印加される。端子Ｂには、メインＣＰＵ８０或いは復調部ＩＣなどに標準的装備されているコントロールピン（ＧＰＩＯ）が接続されるようになされる。この例では復調部ＩＣのコントロールピンが接続されている。このコントロールピンからのデジタル的な制御信号（ローレベル／ハイレベル）Ｓ２により固定減衰型ＡＧＣ２０のオン／オフを制御する。
【００２９】
受信する際に、ＬＮＡ１０から入力される受信信号は、固定減衰型ＡＧＣ２０の入力端子ａに入力され、ＰｉｎダイオードＤｉを通して出力端子ｂから出力される。また、抵抗Ｒ１を介して制御信号Ｓ２が入力される。制御信号Ｓ２がハイレベルのとき、オフになり、高い抵抗値を示し、受信信号を通過させ、また制御信号Ｓ２がローレベルのとき、オンになり、低い抵抗値を示し、減衰器として受信信号を所定減衰値、例えば−２０ｄＢで減衰する。
【００３０】
図４は、固定減衰型ＡＧＣ２０の動作例を示す図である。図４に示すように、所定レベルの受信信号が入力されるとき、固定減衰型ＡＧＣ２０がオフ状態の場合、即ち、端子Ｂに入力される制御信号がローレベルのとき、ＰｉｎダイオードＤｉがオンになり、電流が流れるため、低い抵抗値を示し、信号を減衰しないで通過させる。出力される受信信号のレベルは図中破線で示している。また、固定減衰型ＡＧＣ２０がオン状態の場合、即ち、端子Ｂにハイレベル信号入力されるとき、ＰｉｎダイオードＤｉがオフになり、電流が流れないため、高い抵抗値を示し減衰器として機能する。この場合、入力される受信信号が所定レベル値（−２０ｄＢ）で減衰される。
【００３１】
次に、受信装置１００の動作について、図２および図５を参照しながら説明する。図５は、受信信号レベルの調整例を示す図である。
【００３２】
ここで、選局部３０の受信可能範囲（ダイナミックレンジ）は、−２０〜−７０ｄＢｍとし、また、受信信号のレベル範囲は、−１０〜−８０ｄＢｍとする。ＬＮＡ１０の増幅率は、＋１０ｄＢであり、固定減衰型ＡＧＣ２０の減衰量は、−２０ｄＢである場合、固定減衰型ＡＧＣ２０の動作点（閾値）を以下のように設定されている。
【００３３】
受信信号レベルが−３０ｄＢｍ以上となった時、固定減衰型ＡＧＣ２０がオンになる。
受信信号レベルが−６０ｄＢｍ以下となった時、固定減衰型ＡＧＣ２０がオフになる。
【００３４】
このように第１の閾値と第２の閾値（ここで、第１の閾値≠第２の閾値）を設定することにより、受信信号レベルの変動があった場合、固定減衰型ＡＧＣ２０は安定的に動作できる。
【００３５】
受信する際に、受信信号は、まずＬＮＡ１０に入力され、ＬＮＡ１０で、＋１０ｄＢを増幅され、固定減衰型ＡＧＣ２０に入力される。固定減衰型ＡＧＣ２０は、例えばオフ状態であるとき、受信信号はそのまま通過する。固定減衰型ＡＧＣ２０から出力された受信信号は選局部３０に入力される。選局部３０では内部ＬＮＡ３１、内部ＡＧＣ３２など回路により信号を所定レベルになるように処理した後、復調部４０に入力する。復調部４０では、復調された信号のレベルが検出される。この検出結果に基づいて、制御信号Ｓ１およびＳ２が出力される。制御信号Ｓ１は、選局部３０の内部ＡＧＣ３２に入力され、内部ＡＧＣ３２を制御し、受信信号のレベルを調整する。また、御信号Ｓ２は、固定減衰型ＡＧＣ２０に入力され、固定減衰型ＡＧＣ２０のオン／オフを制御する。
【００３６】
例えば、アンテナ（パラボラアンテナ）からの受信信号のレベルが−６０ｄＢｍ以下になる場合、この受信信号はＬＮＡ１０に入力され、ＬＮＡ１０で、＋１０ｄＢを増幅され、−５０ｄＢｍになる。このレベル−５０ｄＢｍの信号は固定減衰型ＡＧＣ２０に入力される。固定減衰型ＡＧＣ２０はオフ状態であるため、受信信号はそのまま通過する。次に、選局部３０に入力され、そして復調部４０に入力される。復調部４０では、復調された信号のレベルを検出する。この検出結果に基づいて、制御信号Ｓ１および制御信号Ｓ２が出力される。この場合、受信信号のレベルが第２の閾値（−６０ｄＢｍ）以下であるため、復調部ＩＣのコントロールピンからの制御信号Ｓ２はローレベルであり、ＰｉｎダイオードＤｉがオンのままであり、電流が流れるため、低い抵抗値を示し、信号を減衰しないで通過させる。固定減衰型ＡＧＣ２０から出力された受信信号（レベル−５０ｄＢｍ）は選局部３０に入力される。
【００３７】
アンテナからの受信信号のレベルが−８０ｄＢｍになる場合、この受信信号はＬＮＡ１０に入力され、ＬＮＡ１０で、＋１０ｄＢを増幅され、−７０ｄＢｍになる。このレベル−７０ｄＢｍの信号は固定減衰型ＡＧＣ２０に入力される。この場合、固定減衰型ＡＧＣ２０がオフ状態になり、信号を減衰しないで通過させる。固定減衰型ＡＧＣ２０から出力された受信信号（レベル−７０ｄＢｍ）は選局部３０に入力される。これにより、レベルが−８０ｄＢｍまでの信号が受信可能となる。
【００３８】
また例えば、アンテナからの受信信号のレベルが−３０ｄＢｍ以上になる場合、この受信信号はＬＮＡ１０に入力され、ＬＮＡ１０で、＋１０ｄＢを増幅され、−２０ｄＢｍになる。このレベル−２０ｄＢｍの信号は固定減衰型ＡＧＣ２０に入力される。次に、受信信号は選局部３０に入力され、固定減衰型ＡＧＣ２０はオフ状態であるため、受信信号はそのまま通過し、そして復調部４０に入力される。復調部４０では、復調された信号のレベルを検出する。この検出結果に基づいて、制御信号Ｓ１および制御信号Ｓ２が出力される。この場合、入力信号レベルが第２の閾値（−３０ｄＢｍ）以上であるため、復調部ＩＣのコントロールピンからの制御信号Ｓ２はハイレベルであり、ＰｉｎダイオードＤｉがオフになり、電流が流れるため、高い抵抗値を示し、信号を所定レベル値（−２０ｄＢ）で減衰する。固定減衰型ＡＧＣ２０から出力された受信信号（レベル−２０ｄＢｍ）は選局部３０に入力される。
【００３９】
アンテナからの受信信号のレベルが−１０ｄＢｍになる場合、この受信信号はＬＮＡ１０に入力され、ＬＮＡ１０で、＋１０ｄＢを増幅され、０ｄＢｍになる。このレベル０ｄＢｍの信号は固定減衰型ＡＧＣ２０に入力される。この場合、固定減衰型ＡＧＣ２０がオン状態になり、受信信号を所定レベル値（−２０ｄＢ）で減衰する。固定減衰型ＡＧＣ２０から出力された受信信号（レベル−２０ｄＢｍ）は選局部３０に入力される。これにより、レベルが−１０ｄＢｍまでの信号が受信可能となる。
【００４０】
このように本実施の形態においては、選局部３０の前段にＬＮＡ１０を設けると共に、固定減衰型ＡＧＣ２０を設け、受信信号のレベルが予め設定された第１の閾値（−３０ｄＢｍ）以上となったとき、固定減衰型ＡＧＣ２０をオン状態にして受信信号を所定減衰量で減衰させ、受信信号のレベルが予め設定された第２の閾値（−６０ｄＢｍ）以下となったとき、固定減衰型ＡＧＣ２０をオフ状態にして受信信号を減衰しないで通過させることにより、簡単な回路で選局部ＩＣ内部のＡＧＣ回路を補足するＡＧＣ回路を構成することができるため、信頼性を向上でき、コストを抑えることが可能となる。
【００４１】
なお、上述実施の形態においては、固定減衰型ＡＧＣ２０は、一個のＰｉｎダイオードを有するものを示したが、これに限定されるものではない。例えば、複数のＰｉｎダイオードを有する場合にもこの発明を適用できる。
【００４２】
図６は、他の固定減衰型ＡＧＣの構成を示す図である。図６に示すように、固定減衰型ＡＧＣ２０Ａは、２個のＰｉｎダイオードＤｉａ，Ｄｉｂと、抵抗Ｒ１〜６とから構成されている。ＰｉｎダイオードＤｉａとＰｉｎダイオードＤｉｂとを直列に接続されている。端子Ａには一定の電圧Ｖ０が印加される。また、端子ＢはメインＣＰＵ８０或いは復調部ＩＣの所定のコントロールピンに接続され、該コントロールピンからのデジタル的な制御信号（ローレベルとハイレベルを有するもの）によりＰｉｎダイオードＤｉａのオン／オフを制御する。端子ＣはメインＣＰＵ８０或いは復調部ＩＣの他のコントロールピンに接続され、該コントロールピンからのデジタル的な制御信号によりＰｉｎダイオードＤｉｂのオン／オフを制御する。
【００４３】
これにより、固定減衰型ＡＧＣ２０Ａは入力された信号を段階的に減衰することができるため、固定減衰型ＡＧＣ２０の全体の減衰量を大きくすることができ、より広い受信信号レベルの偏移を対応することが可能となる。
【００４４】
また、上述実施の形態においては、第１の閾値は−３０ｄＢｍ、第２の閾値は−６０ｄＢｍとされるが、これに限定されるものではない。
【００４５】
また、上述実施の形態においては、衛星放送を受信するための受信装置１００について説明したが、これに限定されるものではない。例えば、地上波デジタル放送の場合にもこの発明を適用できる。
【００４６】
また、上述実施の形態においては、受信信号のレベル検出は復調・エラー訂正部４０で行うものであるが、これに限定されるものではない。例えば、選局部３０で受信信号のレベル検出を行うようにしてもよい。
【００４７】
【発明の効果】
この発明によれば、アンテナからの受信信号のレベルが所定レベルになるように増幅手段の利得を制御する第１の自動利得制御手段を有する受信装置において、第１の自動利得制御手段の前段にオンのときのみ受信信号を所定減衰量で減衰する第２の自動利得制御手段が設けられ、受信信号のレベルが予め設定された第１の閾値以上となったとき、第２の自動利得制御手段をオン状態にして受信信号を所定減衰量で減衰させ、受信信号のレベルが予め設定された第２の閾値以下となったとき、第２の自動利得制御手段をオフ状態にして受信信号を減衰しないで通過させるものであり、簡単な回路で選局部ＩＣ内部のＡＧＣ回路を補足するＡＧＣ回路を構成することができるため、信頼性を向上でき、コストを抑えることができる。
【図面の簡単な説明】
【図１】実施の形態の受信装置１００の構成を示す図である。
【図２】受信装置１００の入力部の構成を示す図である。
【図３】固定減衰型ＡＧＣ２０の構成を示す図である。
【図４】固定減衰型ＡＧＣ２０の動作例を示す図である。
【図５】受信信号レベルの調整例を示す図である。
【図６】他の固定減衰型ＡＧＣの構成例を示す図である。
【符号の説明】
１０・・・ＬＮＡ、２０，２０Ａ・・・固定減衰型ＡＧＣ、３０・・・選局部、３１・・・内部ＬＮＡ、３２・・・内部ＡＧＣ、３３・・・選局回路、４０・・・復調・エラー訂正部、４１・・・復調回路、４２・・・エラー訂正回路、４３・・・レベル検出手段、５０・・・デスクランブラ、６０・・・デマルチプレクサ、７０・・・ＭＰＥＧデコーダ、８０・・・メインＣＰＵ、１００・・・デジタル受信装置、Ｄｉ，Ｄｉａ，Ｄｉｂ・・・Ｐｉｎダイオード、Ｓ１，Ｓ２，Ｓ３・・・制御信号
【図１】
2004336480.tif 000003
【図２】
2004336480.tif 000004
【図３】
2004336480.tif 000005
【図４】
2004336480.tif 000006
【図５】
2004336480.tif 000007
【図６】
2004336480.tif 000008